(57)【要約】【課題】映像処理装置に信号送信経路の相違を判定させることができる遠隔操作装置、遠隔操作装置からの信号送信経路の相違を判定することができる映像処理装置、および遠隔操作装置から被操作装置への信号送信経路の相違を判定することができる送受信システムを提供することである。【解決手段】送受信システムは、遠隔操作装置２００および映像処理装置により構成される。遠隔操作装置２００には、発光素子ＬＤが設けられている。映像処理装置には、赤外線信号受光部３０７が設けられている。遠隔操作装置００の発光素子ＬＤから出力された赤外線信号は、映像処理装置の赤外線信号受光部３０７により受光される。発光素子ＬＤの光出射面は、その面上のあらゆる軸に関して線対称とならない平面形状を有する。【選択図】図２
2007281599.tif 000002
【特許請求の範囲】
【請求項１】
映像を通常状態および反転状態で表示するための映像信号を生成可能な映像処理装置を光信号を用いて遠隔操作する遠隔操作装置であって、
使用者の操作に基づいて前記映像処理装置を操作するための操作信号を生成する操作信号生成手段と、
前記操作信号生成手段により生成された操作信号を光信号に変換して前記映像処理装置に送信する光信号送信手段とを備え、
前記光信号送信手段から物体で反射されずに前記映像処理装置により受光される光信号の態様と前記光信号発生手段から物体で反射されて前記映像処理装置により受光される光信号の態様とが異なることを特徴とする遠隔操作装置。
【請求項２】
前記光信号送信手段は、光信号を出射する光出射面を有し、
前記光出射面は、当該光出射面上のあらゆる方向の軸に関して線対称とならない形状を有することを特徴とする請求項１記載の遠隔操作装置。
【請求項３】
前記光信号送信手段は、光信号を出射する３つ以上の発光部を含み、
前記３つ以上の発光部は、一直線上に配置されないことを特徴とする請求項１記載の遠隔操作装置。
【請求項４】
前記光信号送信手段は、光信号を出射する発光部を含み、
前記発光部は非直線状の軌道で移動することを特徴とする請求項１記載の遠隔操作装置。
【請求項５】
遠隔操作装置から送信される光信号に基づいて映像を表示するための映像信号を生成する映像処理装置であって、前記遠隔操作装置から送信される光信号は、物体で反射されない場合の態様と物体で反射された場合の態様とが異なり、
前記遠隔操作装置から送信される光信号を受光する受光部と、
前記受光部により受光された光信号の態様に基づいて前記遠隔操作装置から送信された光信号が物体で反射されずに前記受光部に到達したか否かを判定する判定手段と、
前記判定手段の判定結果に基づいて映像を通常状態または反転状態で表示するための映像信号を生成する映像信号生成手段とを備えたことを特徴とする映像処理装置。
【請求項６】
前記遠隔操作装置は、請求項２に記載の遠隔操作装置であり、
前記受光部は、前記遠隔操作装置の光出射面から出射される光信号を受光する受光面を有し、
前記判定手段は、前記受光面上の光信号の形状に基づいて前記遠隔操作装置から送信された光信号が物体で反射されずに前記受光部に到達したか否かを判定する請求項５記載の映像処理装置。
【請求項７】
前記遠隔操作装置は、請求項３に記載の遠隔操作装置であり、
前記受光部は、前記遠隔操作装置の前記３つ以上の発光部から出射される３つ以上の光信号を受光する受光面を有し、
前記判定手段は、前記受光面上の前記３つ以上の光信号の位置関係に基づいて前記遠隔操作装置から送信された光信号が物体で反射されずに前記受光部に到達したか否かを判定する請求項５記載の映像処理装置。
【請求項８】
前記遠隔操作装置は、請求項４に記載の遠隔操作装置であり、
前記受光部は、前記遠隔操作装置の前記発光部から出射される光信号を受光する受光面を有し、
前記判定手段は、前記受光面上の前記光信号の移動方向に基づいて前記遠隔操作装置から送信された光信号が物体で反射されずに前記受光部に到達したか否かを判定する請求項５記載の映像処理装置。
【請求項９】
被操作装置と、
前記被操作装置を光信号を用いて遠隔操作する遠隔操作装置とを備え、
前記遠隔操作装置は、
使用者の操作に基づいて前記被操作装置を操作するための操作信号を生成する操作信号生成手段と、
前記操作信号生成手段により生成された操作信号を光信号に変換して前記被操作装置に送信する光信号送信手段とを含み、
前記遠隔操作装置から送信される光信号は、物体で反射されない場合の態様と物体で反射された場合の態様とが異なり、
前記被操作装置は、
前記遠隔操作装置から送信される光信号を受光する受光部と、
前記受光部により受光された光信号の態様に基づいて前記遠隔操作装置から送信された光信号が物体で反射されずに前記受光部に到達したか否かを判定する判定手段とを含むことを特徴とする送受信システム。
【請求項１０】
前記被操作装置は、映像を表示するための映像信号を生成する映像処理装置であり、
前記判定手段の判定結果に基づいて映像を通常状態または反転状態で表示するための映像信号を生成する映像信号生成手段をさらに含むことを特徴とする送受信システム。
【請求項１１】
前記光信号送信手段は、光信号を出射する光出射面を有し、
前記光出射面は、当該光出射面上のあらゆる方向の軸に関して線対称とならない形状を有することを特徴とする請求項９または１０記載の送受信システム。
【請求項１２】
前記受光部は、前記遠隔操作装置の光出射面から出射される光信号を受光する受光面を有し、
前記判定手段は、前記受光面上の光信号の形状に基づいて前記遠隔操作装置から送信された光信号が物体で反射されずに前記受光部に到達したか否かを判定する請求項１１記載の送受信システム。
【請求項１３】
前記光信号送信手段は、光信号を出射する３つ以上の発光部を含み、
前記３つ以上の発光部は、一直線上に配置されないことを特徴とする請求項９または１０記載の送受信システム。
【請求項１４】
前記受光部は、前記遠隔操作装置の前記３つ以上の発光部から出射される３つ以上の光信号を受光する受光面を有し、
前記判定手段は、前記受光面上の前記３つ以上の光信号の位置関係に基づいて前記遠隔操作装置から送信された光信号が物体で反射されずに前記受光部に到達したか否かを判定する請求項１３記載の送受信システム。
【請求項１５】
前記光信号送信手段は、光信号を出射する発光部を含み、
前記発光部は非直線状の軌道で移動することを特徴とする請求項９または１０記載の送受信システム。
【請求項１６】
前記受光部は、前記遠隔操作装置の前記発光部から出射される光信号を受光する受光面を有し、
前記判定手段は、前記受光面上の前記光信号の移動方向に基づいて前記遠隔操作装置から送信された光信号が物体で反射されずに前記受光部に到達したか否かを判定する請求項１５記載の送受信システム。
【発明の詳細な説明】
【技術分野】
【０００１】
本発明は、映像処理装置を遠隔操作する遠隔操作装置、遠隔操作装置により操作される映像処理装置、および操作信号を送受信する送受信システムに関する。
【背景技術】
【０００２】
従来より、受信した放送映像を左右反転させて表示する表示装置が知られている（例えば、特許文献１）。このような表示装置は、例えば、床屋および美容院等で有効に利用することができる。
【０００３】
床屋等においては、通常、客は鏡に対面した状態で理髪を行ってもらう。客の後方にテレビジョン受像機が設置されている場合、客は、鏡に映る映像を見てテレビジョン放送の番組を視聴することができる。しかしながら、鏡に映る映像は、テレビジョン受像機に表示される映像を左右反転した映像となる。そのため、客は、その反転した映像を見ることになり、違和感を受けることがある。そこで、上記のような表示装置を用いることにより、表示装置に表示される放送映像を反転させて、鏡に本来の放送映像を映すことができる。それにより、客は、違和感なくテレビジョン放送の番組を視聴することができる。
【特許文献１】特開昭６０−１０９９７７号公報
【発明の開示】
【発明が解決しようとする課題】
【０００４】
ところで、テレビジョン放送のチャンネルの切り替えは、通常、赤外線信号を出力する遠隔操作装置を用いて行われる。遠隔操作装置から出力される赤外線信号は、鏡で反射させることができる。したがって、理髪を行ってもらっている客は、遠隔操作装置を鏡に向けて操作することにより、チャンネルを切り替えることができる。
【０００５】
しかしながら、従来の遠隔操作装置では、遠隔操作装置から出力された赤外線信号が、直接表示装置に到達したのか、あるいは、鏡で反射した後に表示装置に到達したのかを、表示装置に設けられる受光部に認識させることができない。
【０００６】
そのため、客が鏡に映る映像を見る場合、例えば、遠隔操作装置に設けられる切替ボタンを押下することにより、表示装置に表示される放送映像を左右反転させなければならない。また、接客が終わった後に店員がテレビジョン放送の番組を視聴する場合にも、テレビジョン受像機の映像を本来の表示状態に戻すためには、遠隔操作装置に設けられる切替ボタンを押下しなければならない。
【０００７】
このように、表示状態を切り替える度に切替ボタンを押下することは、切り替えを頻繁に行わなければならない状況では、視聴者に煩雑な動作を強いることになり不快感を与える場合がある。
【０００８】
本発明の目的は、映像処理装置に信号送信経路の相違を判定させることができる遠隔操作装置を提供することである。
【０００９】
本発明の他の目的は、遠隔操作装置からの信号送信経路の相違を判定することができる映像処理装置を提供することである。
【００１０】
本発明のさらに他の目的は、遠隔操作装置から被操作装置への信号送信経路の相違を判定することができる送受信システムを提供することである。
【課題を解決するための手段】
【００１１】
（１）第１の発明に係る遠隔操作装置は、映像を通常状態および反転状態で表示するための映像信号を生成可能な映像処理装置を光信号を用いて遠隔操作する遠隔操作装置であって、使用者の操作に基づいて映像処理装置を操作するための操作信号を生成する操作信号生成手段と、操作信号生成手段により生成された操作信号を光信号に変換して映像処理装置に送信する光信号送信手段とを備え、光信号送信手段から物体で反射されずに映像処理装置により受光される光信号の態様と光信号発生手段から物体で反射されて映像処理装置により受光される光信号の態様とが異なるものである。
【００１２】
この遠隔操作装置においては、操作信号生成手段により、使用者の操作に基づく操作信号が生成される。操作信号は、光信号送信手段により光信号に変換されて映像処理装置に送信される。
【００１３】
ここで、光信号送信手段から物体で反射されずに映像処理装置により受光される光信号の態様と光信号発生手段から物体で反射されて映像処理装置により受光される光信号の態様とは異なる。
【００１４】
この場合、映像処理装置は、受光した光信号の態様により、遠隔操作装置から送信された光信号が物体で反射されずに映像処理装置に到達したのか、あるいは、物体で反射されて映像処理装置に到達したのかを判定することができる。
【００１５】
つまり、当該遠隔操作装置は、光信号を映像処理装置に送信することにより、映像処理装置を操作するとともに、映像処理装置に光信号の送信経路の相違を容易に判定させることができる。また、映像処理装置は、この判定結果に基づいて、通常状態の映像または反転状態の映像を選択し、表示することができる。
【００１６】
例えば、遠隔操作装置の使用者が、映像処理装置により表示される映像を鏡を介して見ている場合には、鏡に映る映像処理装置に向けて光信号を送信する。遠隔操作装置から送信された光信号は、鏡で反射した後、映像処理装置に受光される。映像処理装置は、遠隔操作装置から送信された光信号が鏡で反射されて映像処理装置に到達したと判定し、反転状態の映像を表示する。
【００１７】
ここで、遠隔操作装置の使用者が見る鏡に映る映像は、映像処理装置により表示される映像を反転した映像となる。したがって、使用者は、鏡を見ることにより、通常状態の映像を見ることができる。
【００１８】
一方、遠隔操作装置の使用者が、映像処理装置により表示される映像を直接見ている場合には、映像処理装置に向けて直接光信号を送信する。遠隔操作装置から送信された光信号は、映像処理装置に直接到達し、受光される。映像処理装置は、遠隔操作装置から送信された光信号が直接映像処理装置に到達したと判定し、通常状態の映像を表示する。それにより、使用者は、映像処理装置により表示される映像を直接見ることにより、通常状態の映像を見ることができる。
【００１９】
このように、使用者は、映像処理装置により表示される映像を直接見る場合および鏡に映る映像を見る場合のどちらの場合においても、表示状態を切り替えるための操作を行う必要がない。それにより、快適に映像を見ることができる。
【００２０】
（２）光信号送信手段は、光信号を出射する光出射面を有し、光出射面は、当該光出射面上のあらゆる方向の軸に関して線対称とならない形状を有してもよい。
【００２１】
この光出射面の形状をその平面上の任意の軸を中心として反転させた場合、反転前の形状と反転後の形状とは、回転操作および移動操作により重なり合うことがない。したがって、遠隔操作装置から送信された光信号が物体で反射されて映像処理装置により受光される場合、当該映像処理装置により受光される光信号の形状を回転操作および移動操作しても、その形状と光出射面の形状とが重なり合うことがない。
【００２２】
一方、遠隔操作装置から送信された光信号が物体で反射されずに映像処理装置により受光される場合、当該映像処理装置により受光される光信号の形状を回転操作および移動操作することにより、その形状と光出射面の形状とを重ね合すことができる。
【００２３】
したがって、映像処理装置は、受光した光信号の形状と光信号送信手段の光出射面の形状とを比較することにより、光信号の送信経路の相違を容易かつ確実に判定することができる。
【００２４】
（３）光信号送信手段は、光信号を出射する３つ以上の発光部を含み、３つ以上の発光部は、一直線上に配置されなくてもよい。
【００２５】
この３つ以上の発光部から出射される光信号を平面上の任意の軸を中心として反転させた場合、反転前の３つ以上の光信号の相互の相対的な位置関係と、反転後の３つ以上の光信号の相互の相対的な位置関係とは異なる。したがって、遠隔操作装置から送信された光信号が物体で反射されて映像処理装置により受光される場合、当該映像処理装置により受光される３つ以上の光信号の相互の相対的な位置関係は、光信号を出射する３つ以上の発光部の相互の相対的な位置関係と異なっている。
【００２６】
一方、遠隔操作装置から送信された光信号が物体で反射されずに映像処理装置により受光される場合、当該映像処理装置により受光される３つ以上の光信号の相対的な位置関係は、光信号を出射する３つ以上の発光部の相互の相対的な位置関係と等しい。
【００２７】
したがって、映像処理装置は、受光した３つ以上の光信号の相互の相対的な位置関係と、光信号を出射する３つ以上の発光部の相互の相対的な位置関係とを比較することにより、光信号の送信経路の相違を容易かつ確実に判定することができる。
【００２８】
（４）光信号送信手段は、光信号を出射する発光部を含み、発光部は非直線状の軌道で移動してもよい。
【００２９】
この非直線状の軌道で移動する発光部から出射される光信号を平面上の任意の軸を中心として反転させた場合、反転前の光信号の移動方向（軌跡）と、反転後の光信号の移動方向（軌跡）とは異なる。したがって、遠隔操作装置から送信された光信号が物体で反射されて映像処理装置により受光される場合、当該映像処理装置により受光される光信号の移動方向（軌跡）は、発光部の移動方向（軌跡）と異なっている。
【００３０】
一方、遠隔操作装置から送信された光信号が物体で反射されずに映像処理装置により受光される場合、当該映像処理装置により受光される光信号の移動方向（軌跡）は、発光部の移動方向（軌跡）と等しい。
【００３１】
したがって、映像処理装置は、受光した光信号の移動方向（軌跡）と、発光部の移動方向（軌跡）とを比較することにより、光信号の送信経路の相違を容易かつ確実に判定することができる。
【００３２】
（５）第２の発明に係る映像処理装置は、遠隔操作装置から送信される光信号に基づいて映像を表示するための映像信号を生成する映像処理装置であって、遠隔操作装置から送信される光信号は、物体で反射されない場合の態様と物体で反射された場合の態様とが異なり、遠隔操作装置から送信される光信号を受光する受光部と、受光部により受光された光信号の態様に基づいて遠隔操作装置から送信された光信号が物体で反射されずに受光部に到達したか否かを判定する判定手段と、判定手段の判定結果に基づいて映像を通常状態または反転状態で表示するための映像信号を生成する映像信号生成手段とを備えたものである。
【００３３】
この映像処理装置においては、遠隔操作装置から送信される光信号を受光部で受光する。判定手段は、受光部により受光された光信号の態様に基づいて遠隔操作装置から送信された光信号が物体で反射されずに受光部に到達したか否かを判定する。
【００３４】
ここで、遠隔操作装置から送信される光信号は、物体で反射されない場合の態様と物体で反射された場合の態様とが異なる。したがって、判定手段は、受光部により受光した光信号の態様に基づいて、光信号の送信経路の相違を容易に判定することができる。
【００３５】
また、映像信号生成手段は、判定手段の判定結果に基づいて映像を通常状態または反転状態で表示するための映像信号を生成する。つまり、当該映像処理装置は、判定手段の判定結果に基づいて、通常状態の映像または反転状態の映像を選択し、表示することができる。
【００３６】
例えば、遠隔操作装置の使用者が、映像処理装置により表示される映像を鏡を介して見ている場合には、鏡に映る映像処理装置に向けて光信号を送信する。遠隔操作装置から送信された光信号は、鏡で反射した後、映像処理装置に受光される。映像処理装置は、遠隔操作装置から送信された光信号が鏡で反射されて映像処理装置に到達したと判定し、反転状態の映像を表示する。
【００３７】
ここで、遠隔操作装置の使用者が見る鏡に映る映像は、映像処理装置により表示される映像を反転した映像となる。したがって、使用者は、鏡を見ることにより、通常状態の映像を見ることができる。
【００３８】
一方、遠隔操作装置の使用者が、映像処理装置により表示される映像を直接見ている場合には、映像処理装置に向けて直接光信号を送信する。遠隔操作装置から送信された光信号は、映像処理装置に直接到達し、受光される。映像処理装置は、遠隔操作装置から送信された光信号が直接映像処理装置に到達したと判定し、通常状態の映像を表示する。それにより、使用者は、映像処理装置により表示される映像を直接見ることにより、通常状態の映像を見ることができる。
【００３９】
このように、使用者は、映像処理装置により表示される映像を直接見る場合および鏡に映る映像を見る場合のどちらの場合においても、表示状態を切り替えるための操作を行う必要がない。それにより、快適に映像を見ることができる。
【００４０】
（６）遠隔操作装置は、光信号を出射する光出射面を有し、光出射面は、当該光出射面上のあらゆる方向の軸に関して線対称とならない形状を有し、当該映像処理装置の受光部は、遠隔操作装置の光出射面から出射される光信号を受光する受光面を有し、判定手段は、受光面上の光信号の形状に基づいて遠隔操作装置から送信された光信号が物体で反射されずに受光部に到達したか否かを判定してもよい。
【００４１】
この遠隔操作装置の光出射面の形状をその平面上の任意の軸を中心として反転させた場合、反転前の形状と反転後の形状とは、回転操作および移動操作により重なり合うことがない。したがって、遠隔操作装置から送信された光信号が物体で反射されて当該映像処理装置の受光面により受光される場合、当該受光面上の光信号の形状を回転操作および移動操作しても、その形状と光出射面の形状とが重なり合うことがない。
【００４２】
一方、遠隔操作装置から送信された光信号が物体で反射されずに当該映像処理装置の受光面により受光される場合、当該受光面上の光信号の形状を回転操作および移動操作することにより、その形状と光出射面の形状とを重ね合すことができる。
【００４３】
したがって、当該映像処理装置の判定手段は、受光面上の光信号の形状と遠隔操作装置の光出射面の形状とを比較することにより、光信号の送信経路の相違を容易かつ確実に判定することができる。
【００４４】
（７）遠隔操作装置は、光信号を出射する３つ以上の発光部を含み、３つ以上の発光部は、一直線上に配置されず、当該映像処理装置の受光部は、遠隔操作装置の３つ以上の発光部から出射される３つ以上の光信号を受光する受光面を有し、判定手段は、受光面上の３つ以上の光信号の位置関係に基づいて遠隔操作装置から送信された光信号が物体で反射されずに受光部に到達したか否かを判定してもよい。
【００４５】
この遠隔操作装置の３つ以上の発光部から出射される光信号を平面上の任意の軸を中心として反転させた場合、反転前の３つ以上の光信号の相互の相対的な位置関係と、反転後の３つ以上の光信号の相互の相対的な位置関係とは異なる。したがって、遠隔操作装置から送信された光信号が物体で反射されて当該映像処理装置の受光面により受光される場合、当該受光面上の３つ以上の光信号の相互の相対的な位置関係は、光信号を出射する３つ以上の発光部の相互の相対的な位置関係と異なっている。
【００４６】
一方、遠隔操作装置から送信された光信号が物体で反射されずに当該映像処理装置の受光面により受光される場合、当該受光面上の３つ以上の光信号の相対的な位置関係は、光信号を出射する３つ以上の発光部の相互の相対的な位置関係と等しい。
【００４７】
したがって、当該映像処理装置の判定手段は、受光面上の３つ以上の光信号の相互の相対的な位置関係と、光信号を出射する３つ以上の発光部の相互の相対的な位置関係とを比較することにより、光信号の送信経路の相違を容易かつ確実に判定することができる。
【００４８】
（８）遠隔操作装置は、光信号を出射する発光部を含み、発光部は非直線状の軌道で移動し、当該映像処理装置の受光部は、遠隔操作装置の発光部から出射される光信号を受光する受光面を有し、判定手段は、受光面上の光信号の移動方向に基づいて遠隔操作装置から送信された光信号が物体で反射されずに受光部に到達したか否かを判定してもよい。
【００４９】
この遠隔操作装置の非直線状の軌道で移動する発光部から出射される光信号を平面上の任意の軸を中心として反転させた場合、反転前の光信号の移動方向（軌跡）と、反転後の光信号の移動方向（軌跡）とは異なる。したがって、遠隔操作装置から送信された光信号が物体で反射されて当該映像処理装置の受光面により受光される場合、当該受光面上の光信号の移動方向（軌跡）は、発光部の移動方向（軌跡）と異なっている。
【００５０】
一方、遠隔操作装置から送信された光信号が物体で反射されずに当該映像処理装置の受光面により受光される場合、当該受光面上の光信号の移動方向（軌跡）は、発光部の移動方向（軌跡）と等しい。
【００５１】
したがって、当該映像処理装置の判定手段は、受光面上の光信号の移動方向と、発光部の移動方向とを比較することにより、光信号の送信経路の相違を容易かつ確実に判定することができる。
【００５２】
（９）第３の発明に係る送受信システムは、被操作装置と、被操作装置を光信号を用いて遠隔操作する遠隔操作装置とを備え、遠隔操作装置は、使用者の操作に基づいて被操作装置を操作するための操作信号を生成する操作信号生成手段と、操作信号生成手段により生成された操作信号を光信号に変換して被操作装置に送信する光信号送信手段とを含み、遠隔操作装置から送信される光信号は、物体で反射されない場合の態様と物体で反射された場合の態様とが異なり、被操作装置は、遠隔操作装置から送信される光信号を受光する受光部と、受光部により受光された光信号の態様に基づいて遠隔操作装置から送信された光信号が物体で反射されずに受光部に到達したか否かを判定する判定手段とを含んでもよい。
【００５３】
この送受信システムにおいては、遠隔操作装置の操作信号生成手段により、使用者の操作に基づく操作信号が生成される。操作信号は、光信号送信手段により光信号に変換されて映像処理装置に送信される。遠隔操作装置から送信される光信号は、映像処理装置の受光部で受光される。映像処理装置の判定手段は、受光部により受光された光信号の態様に基づいて遠隔操作装置から送信された光信号が物体で反射されずに受光部に到達したか否かを判定する。
【００５４】
ここで、遠隔操作装置から送信される光信号は、物体で反射されない場合の態様と物体で反射された場合の態様とが異なる。したがって、判定手段は、受光部により受光した光信号の態様に基づいて、光信号の送信経路の相違を容易に判定することができる。
【００５５】
（１０）被操作装置は、映像を表示するための映像信号を生成する映像処理装置であり、判定手段の判定結果に基づいて映像を通常状態または反転状態で表示するための映像信号を生成する映像信号生成手段をさらに含んでもよい。
【００５６】
この場合、映像信号生成手段は、判定手段の判定結果に基づいて映像を通常状態または反転状態で表示するための映像信号を生成する。つまり、当該映像処理装置は、判定手段の判定結果に基づいて、通常状態の映像または反転状態の映像を選択し、表示することができる。
【００５７】
例えば、遠隔操作装置の使用者が、映像処理装置により表示される映像を鏡を介して見ている場合には、鏡に映る映像処理装置に向けて光信号を送信する。遠隔操作装置から送信された光信号は、鏡で反射した後、映像処理装置に受光される。映像処理装置は、遠隔操作装置から送信された光信号が鏡で反射されて映像処理装置に到達したと判定し、反転状態の映像を表示する。
【００５８】
ここで、遠隔操作装置の使用者が見る鏡に映る映像は、映像処理装置により表示される映像を反転した映像となる。したがって、使用者は、鏡を見ることにより、通常状態の映像を見ることができる。
【００５９】
一方、遠隔操作装置の使用者が、映像処理装置により表示される映像を直接見ている場合には、映像処理装置に向けて直接光信号を送信する。遠隔操作装置から送信された光信号は、映像処理装置に直接到達し、受光される。映像処理装置は、遠隔操作装置から送信された光信号が直接映像処理装置に到達したと判定し、通常状態の映像を表示する。それにより、使用者は、映像処理装置により表示される映像を直接見ることにより、通常状態の映像を見ることができる。
【００６０】
このように、使用者は、映像処理装置により表示される映像を直接見る場合および鏡に映る映像を見る場合のどちらの場合においても、表示状態を切り替えるための操作を行う必要がない。それにより、快適に映像を見ることができる。
【００６１】
（１１）光信号送信手段は、光信号を出射する光出射面を有し、光出射面は、当該光出射面上のあらゆる方向の軸に関して線対称とならない形状を有してもよい。
【００６２】
この光出射面の形状をその平面上の任意の軸を中心として反転させた場合、反転前の形状と反転後の形状とは、回転操作および移動操作により重なり合うことがない。したがって、遠隔操作装置から送信された光信号が物体で反射されて映像処理装置により受光される場合、当該映像処理装置により受光される光信号の形状を回転操作および移動操作しても、その形状と光出射面の形状とが重なり合うことがない。
【００６３】
一方、遠隔操作装置から送信された光信号が物体で反射されずに映像処理装置により受光される場合、当該映像処理装置により受光される光信号の形状を回転操作および移動操作することにより、その形状と光出射面の形状とを重ね合すことができる。
【００６４】
したがって、映像処理装置の判定手段は、受光した光信号の形状と光信号送信手段の光出射面の形状とを比較することにより、光信号の送信経路の相違を容易かつ確実に判定することができる。
【００６５】
（１２）受光部は、遠隔操作装置の光出射面から出射される光信号を受光する受光面を有し、判定手段は、受光面上の光信号の形状に基づいて遠隔操作装置から送信された光信号が物体で反射されずに受光部に到達したか否かを判定してもよい。
【００６６】
この場合、遠隔操作装置から送信された光信号は、映像処理装置の受光面により受光される。ここで、遠隔操作装置の光出射面の形状をその平面上の任意の軸を中心として反転させた場合、反転前の形状と反転後の形状とは、回転操作および移動操作により重なり合うことがない。したがって、遠隔操作装置から送信された光信号が物体で反射されて映像処理装置の受光面により受光される場合、当該受光面上の光信号の形状を回転操作および移動操作しても、その形状と光出射面の形状とが重なり合うことがない。
【００６７】
一方、遠隔操作装置から送信された光信号が物体で反射されずに映像処理装置の受光面により受光される場合、当該受光面上の光信号の形状を回転操作および移動操作することにより、その形状と光出射面の形状とを重ね合すことができる。
【００６８】
したがって、映像処理装置の判定手段は、受光面上の光信号の形状と光信号送信手段の光出射面の形状とを比較することにより、光信号の送信経路の相違を容易かつ確実に判定することができる。
【００６９】
（１３）光信号送信手段は、光信号を出射する３つ以上の発光部を含み、３つ以上の発光部は、一直線上に配置されなくてもよい。
【００７０】
この３つ以上の発光部から出射される光信号を平面上の任意の軸を中心として反転させた場合、反転前の３つ以上の光信号の相互の相対的な位置関係と、反転後の３つ以上の光信号の相互の相対的な位置関係とは異なる。したがって、遠隔操作装置から送信された光信号が物体で反射されて映像処理装置により受光される場合、当該映像処理装置により受光される３つ以上の光信号の相互の相対的な位置関係は、光信号を出射する３つ以上の発光部の相互の相対的な位置関係と異なっている。
【００７１】
一方、遠隔操作装置から送信された光信号が物体で反射されずに映像処理装置により受光される場合、当該映像処理装置により受光される３つ以上の光信号の相対的な位置関係は、光信号を出射する３つ以上の発光部の相互の相対的な位置関係と等しい。
【００７２】
したがって、映像処理装置の判定手段は、受光した３つ以上の光信号の相互の相対的な位置関係と、光信号を出射する３つ以上の発光部の相互の相対的な位置関係とを比較することにより、光信号の送信経路の相違を容易かつ確実に判定することができる。
【００７３】
（１４）受光部は、遠隔操作装置の３つ以上の発光部から出射される３つ以上の光信号を受光する受光面を有し、判定手段は、受光面上の３つ以上の光信号の位置関係に基づいて遠隔操作装置から送信された光信号が物体で反射されずに受光部に到達したか否かを判定してもよい。
【００７４】
この場合、遠隔操作装置から送信された光信号は、映像処理装置の受光面により受光される。ここで、遠隔操作装置の３つ以上の発光部から出射される光信号を平面上の任意の軸を中心として反転させた場合、反転前の３つ以上の光信号の相互の相対的な位置関係と、反転後の３つ以上の光信号の相互の相対的な位置関係とは異なる。したがって、遠隔操作装置から送信された光信号が物体で反射されて映像処理装置の受光面により受光される場合、当該受光面上の３つ以上の光信号の相互の相対的な位置関係は、光信号を出射する３つ以上の発光部の相互の相対的な位置関係と異なっている。
【００７５】
一方、遠隔操作装置から送信された光信号が物体で反射されずに映像処理装置の受光面により受光される場合、当該受光面上の３つ以上の光信号の相対的な位置関係は、光信号を出射する３つ以上の発光部の相互の相対的な位置関係と等しい。
【００７６】
したがって、映像処理装置の判定手段は、受光面上の３つ以上の光信号の相互の相対的な位置関係と、光信号を出射する３つ以上の発光部の相互の相対的な位置関係とを比較することにより、光信号の送信経路の相違を容易かつ確実に判定することができる。
【００７７】
（１５）光信号送信手段は、光信号を出射する発光部を含み、発光部は非直線状の軌道で移動してもよい。
【００７８】
この非直線状の軌道で移動する発光部から出射される光信号を平面上の任意の軸を中心として反転させた場合、反転前の光信号の移動方向（軌跡）と、反転後の光信号の移動方向（軌跡）とは異なる。したがって、遠隔操作装置から送信された光信号が物体で反射されて映像処理装置により受光される場合、当該映像処理装置により受光される光信号の軌跡は、発光部の軌跡と異なっている。
【００７９】
一方、遠隔操作装置から送信された光信号が物体で反射されずに映像処理装置により受光される場合、当該映像処理装置により受光される光信号の移動方向（軌跡）は、発光部の移動方向（軌跡）と等しい。
【００８０】
したがって、映像処理装置の判定手段は、受光した光信号の移動方向（軌跡）と、発光部の移動方向（軌跡）とを比較することにより、光信号の送信経路の相違を容易かつ確実に判定することができる。
【００８１】
（１６）受光部は、遠隔操作装置の発光部から出射される光信号を受光する受光面を有し、判定手段は、受光面上の光信号の移動方向に基づいて遠隔操作装置から送信された光信号が物体で反射されずに受光部に到達したか否かを判定してもよい。
【００８２】
この場合、遠隔操作装置から送信された光信号は、映像処理装置の受光面により受光される。ここで、遠隔操作装置の非直線状の軌道で移動する発光部から出射される光信号を平面上の任意の軸を中心として反転させた場合、反転前の光信号の移動方向（軌跡）と、反転後の光信号の移動方向（軌跡）とは異なる。したがって、遠隔操作装置から送信された光信号が物体で反射されて当該映像処理装置の受光面により受光される場合、当該受光面上の光信号の移動方向（軌跡）は、発光部の移動方向（軌跡）と異なっている。
【００８３】
一方、遠隔操作装置から送信された光信号が物体で反射されずに当該映像処理装置の受光面により受光される場合、当該受光面上の光信号の移動方向（軌跡）は、発光部の移動方向（軌跡）と等しい。
【００８４】
したがって、当該映像処理装置の判定手段は、受光面上の光信号の移動方向（軌跡）と、発光部の移動方向（軌跡）とを比較することにより、光信号の送信経路の相違を容易かつ確実に判定することができる。
【発明の効果】
【００８５】
本発明によれば、映像処理装置（被操作装置）は、受光した光信号の態様により、遠隔操作装置から送信された光信号が物体で反射されずに映像処理装置（被操作装置）に到達したのか、あるいは、物体で反射されて映像処理装置（被操作装置）に到達したのかを容易に判定することができる。
【発明を実施するための最良の形態】
【００８６】
以下、本発明に係る送受信システムの一例としてテレビジョン放送を受信する放送受信システムについて図面を用いて説明する。
【００８７】
（１）第１の実施の形態
（ａ）構成
図１は、本発明の第１の実施の形態に係る送受信システムの構成を示すブロック図である。本実施の形態では、映像処理装置３００がデジタル放送を受信するテレビジョン受像機である場合を説明する。
【００８８】
図１に示すように、本実施の形態に係る送受信システム１００は、遠隔操作装置２００および映像処理装置３００により構成される。映像処理装置３００は、アンテナ４００に接続されている。
【００８９】
遠隔操作装置２００は、操作部２０１および赤外線信号出力部２０２を備える。
【００９０】
操作部２０１は、複数の操作ボタンを含み、視聴者がいずれかの操作ボタンを押下した場合に、操作信号を出力する。
【００９１】
赤外線信号出力部２０２は、赤外線発光ダイオード等の発光素子を含み、操作部２０１から出力された操作信号に基づいてパルス位置変調された赤外線信号を出力する。
【００９２】
映像処理装置３００は、チューナ３０１、復調部３０２、ＴＳデコーダ３０３、ＡＶデコーダ３０４、映像出力部３０５、音声出力部３０６、赤外線信号受光部３０７、信号解析部３０８および機能制御部３０９を備える。
【００９３】
チューナ３０１は、アンテナ４００から入力されるテレビジョン放送信号の周波数を選択することにより選局を行い、選局された信号を出力する。なお、テレビジョン放送信号の選局は、後述する機能制御部３０９から選局信号が出力された場合に、その選局信号に基づいて行われる。
【００９４】
復調部３０２は、チューナ３０１から出力された信号を復調し、ＭＰＥＧ(Moving Picture Experts Group)規格に準拠したトランスポートストリーム（以下、ＴＳと呼ぶ）を出力する。
【００９５】
ＴＳデコーダ３０３は、復調部３０２から出力されるＴＳにＭＰＥＧ規格に準拠したフィルタリング処理を行い、映像ストリーム、音声ストリーム、データ放送関係のパケット等を分離する。
【００９６】
ＡＶデコーダ３０４は、ＴＳデコーダ３０３から出力される映像ストリームおよび音声ストリームを復号し、映像データおよび音声データを出力する。
【００９７】
映像出力部３０５は、液晶ディスプレイまたはプラズマディスプレイ等の表示パネルを含み、ＡＶデコーダ３０４から出力される映像データを映像として表示する。なお、映像出力部３０５は、機能制御部３０９から後述する正常映像信号が出力された場合には、通常の映像を表示し、機能制御部３０９から後述する反転映像信号が出力された場合には、映像を左右反転させて表示する。詳細は後述する。
【００９８】
音声出力部３０６は、スピーカ等の音声出力装置を含み、ＡＶデコーダ３０４から出力される音声データを音声として出力する。
【００９９】
赤外線信号受光部３０７は、複数の感光素子を含み、赤外線信号出力部２０２から出力された赤外線信号を受光し、赤外線信号に基づく電気信号を出力する。赤外線信号受光部３０７の詳細は後述する。
【０１００】
信号解析部３０８は、赤外線信号受光部３０７が出力した電気信号を復調し、操作信号を出力する。また、信号解析部３０８は、赤外線信号受光部３０７が出力した電気信号に基づいて、正常信号または反射信号を出力する。正常信号および反射信号の詳細は後述する。
【０１０１】
機能制御部３０９は、信号解析部３０８が出力した操作信号に基づいて、例えば、選局信号を出力する。また、機能制御部３０９は、信号解析部３０８が正常信号を生成した場合、正常映像信号を出力し、信号解析部３０８が反射信号を生成した場合、反転映像信号を出力する。
【０１０２】
なお、信号解析部３０８および機能制御部３０９は、マイクロコンピュータおよびその制御プログラムにより実現されてもよく、どちらか一方または両方が電子回路等のハードウェアにより実現されてもよい。
【０１０３】
（ｂ）赤外線信号
次に、遠隔操作装置２００から出力される赤外線信号について詳細に説明する。
【０１０４】
図２および図３は、遠隔操作装置２００と赤外線信号受光部３０７との関係を示した図である。なお、図２は、遠隔操作装置２００から出力された赤外線信号が赤外線信号受光部３０７に直接到達する場合を示し、図３は、遠隔操作装置２００から出力された赤外線信号が鏡５００で反射した後に赤外線信号受光部３０７に到達する場合を示している。
【０１０５】
図２および図３に示すように、遠隔操作装置２００の一端側には、図１の赤外線信号出力部２０２の一部である発光素子ＬＤが設けられている。発光素子ＬＤの光出射面は、その面上のあらゆる軸に関して線対称とならない平面形状（以下、非線対称形状と呼ぶ）を有する。非線対称形状をその平面上の任意の軸を中心として反転させた場合、反転前の非線対称形状と反転後の非線対称形状とは、回転操作および移動操作により重なり合うことがない。本実施の形態では、発光素子ＬＤの光出射面は、Ｌ字矢印の形状を有する。以下、発光素子ＬＤの光出射面の形状を単に発光素子ＬＤの形状と略記する。
【０１０６】
赤外線信号受光部３０７は、凸レンズ３１およびそれに対向する位置に設けられる感光スクリーン３２を備える。感光スクリーン３２は、マトリクス状に配置された複数の感光素子（図示せず）により形成される。
【０１０７】
視聴者が遠隔操作装置２００の操作部２０１のいずれかの操作ボタンを押下した場合、赤外線信号出力部２０２の発光素子ＬＤから赤外線信号が出力される。図２および図３においては、凸レンズ３１へ到達する赤外線信号を赤外線信号ＩＲＳとして示している。発光素子ＬＤから赤外線信号受光部３０７へ送信された赤外線信号ＩＲＳは、凸レンズ３１を通過した後、感光スクリーン３２に投影される。このとき、赤外線信号ＩＲＳは、凸レンズ３１により上下左右反転される。
【０１０８】
なお、図２および図３においては、発光素子ＬＤの形状２１、赤外線信号ＩＲＳの進行方向に垂直な断面の形状２２および形状２４（図３）、ならびに感光スクリーン３２に投影される像３３の形状２３（図２）および形状２５（図３）を拡大して示している。また、これらの形状２１〜２５は全て、赤外線信号ＩＲＳの進行方向に沿って送信側から受信側に向かって見た形状である。
【０１０９】
以下、赤外線信号ＩＲＳが赤外線信号受光部３０７に直接到達する場合、および赤外線信号ＩＲＳが鏡等の物体で反射した後に赤外線信号受光部３０７に到達する場合についてそれぞれ詳細に説明する。
【０１１０】
まず、赤外線信号ＩＲＳが赤外線信号受光部３０７に直接到達する場合について説明する。図２に示すように、赤外線信号ＩＲＳが赤外線信号受光部３０７に直接到達する場合、赤外線信号ＩＲＳは、発光素子ＬＤの形状２１と同じ形状２２を維持しつつ赤外線信号受光部３０７に到達する。
【０１１１】
上述したように、赤外線信号受光部３０７に到達した赤外線信号ＩＲＳは、凸レンズ３１により上下左右反転されて感光スクリーン３２に投影される。したがって、感光スクリーン３２に投影される像３３は、形状２２を光軸周りに１８０度回転させた形状２３を有する。
【０１１２】
次に、発光素子ＬＤから出力された赤外線信号ＩＲＳが、鏡で反射した後に赤外線信号受光部３０７に到達する場合について説明する。図３に示すように、赤外線信号ＩＲＳは、鏡５００に到達するまでは形状２２を維持するが、鏡５００で反射することにより左右反転した形状２４となる。その後、赤外線信号ＩＲＳは、形状２４を維持しつつ赤外線信号受光部３０７に到達する。
【０１１３】
赤外線信号受光部３０７に到達した赤外線信号ＩＲＳは、上述したように、凸レンズ３１により上下左右反転されて感光スクリーン３２に投影される。したがって、感光スクリーン３２に投影される像３３は、形状２４を光軸周りに１８０度回転させた形状２５を有する。図３の例では、形状２５は、形状２１を上下反転させたものになっている。
【０１１４】
ここで、２つの形状の比較において、一方の形状を全方向に同じ比率で拡大または縮小するとともに回転および移動させることにより一方の形状が他方の形状に一致する場合には、２つの形状が等しいものとする。また、２つの形状の比較において、一方の形状を全方向に同じ比率で拡大または縮小するとともに回転および移動させても一方の形状が他方の形状に一致しない場合には、２つの形状が異なるものとする。
【０１１５】
図２の形状２３は、形状２１を光軸周りに回転させたものである。つまり、図２においては、像３３の形状２３は、発光素子ＬＤの形状２１と等しい。
【０１１６】
一方、図３の形状２５は、上述したように、形状２１を上下反転させたものである。つまり、図３においては、像３３の形状２５は、発光素子ＬＤの形状２１と異なっている。
【０１１７】
本実施の形態に係る送受信システム１００においては、赤外線信号受光部３０７は、感光スクリーン３２上の像３３に対応する画像データを出力する。信号解析部３０８は、発光素子ＬＤの形状２１を表す画像データを予め記憶する。この信号解析部３０８は、赤外線信号受光部３０７から出力される画像データおよび予め記憶された画像データを用いたパターンマッチングにより感光スクリーン３２上の像３３の形状２３，２５と発光素子ＬＤの形状２１とが等しいか否かを判定し、その判定結果に基づいて、赤外線信号ＩＲＳが赤外線信号受光部３０７に直接到達したか、あるいは鏡等で反射した後に到達したかを判定する。
【０１１８】
すなわち、信号解析部３０８は、感光スクリーン３２に投影される像３３の形状と発光素子ＬＤの形状２１とが等しい場合には、赤外線信号ＩＲＳが赤外線信号受光部３０７に直接到達したと判定し、正常信号を出力する。一方、信号解析部３０８は、像３３の形状と発光素子ＬＤの形状２１とが異なる場合には、赤外線信号ＩＲＳが鏡等で反射した後に赤外線信号受光部３０７に到達したと判定し、反射信号を出力する。
【０１１９】
信号解析部３０８により正常信号が出力された場合、機能制御部３０９は、正常映像信号を出力する。それにより、映像出力部３０５は、通常の映像を表示パネルに表示する。一方、信号解析部３０８により反射信号が出力された場合、機能制御部３０９は、反転映像信号を出力する。それにより、映像出力部３０５は、通常の映像を左右反転させて表示パネルに表示する。
【０１２０】
（ｃ）本実施の形態の効果
以上のように、本実施の形態に係る送受信システム１００においては、赤外線信号受光部３０７の感光スクリーン３２に投影される像３３の形状に基づいて、赤外線信号ＩＲＳの送信経路の相違を判定することができる。そして、その判定結果に基づいて、映像処理装置３００の表示パネルに通常の映像を表示するか、あるいは、左右反転させた映像を表示するかを決定することができる。
【０１２１】
この場合、視聴者が表示パネルに表示される映像を直接見る場合には、遠隔操作装置２００を映像処理装置３００に向けて操作ボタンを押下することにより、通常の映像を表示パネルに表示しつつ、任意の操作（例えば、選局等）を行うことができる。また、視聴者が鏡５００に映る映像を見る場合には、遠隔操作装置２００を鏡５００に向けて操作ボタンを押下することにより、反転した映像を表示パネルに表示しつつ、任意の操作を行うことができる。
【０１２２】
つまり、本実施の形態によれば、視聴者は、表示パネルに表示される映像を直接見る場合および鏡５００に映る映像を見る場合のどちらの場合においても、表示状態を切り替えるための操作を行う必要がない。それにより、快適にテレビジョン放送の番組を視聴することができる。
【０１２３】
また、遠隔操作装置２００に表示状態を切り替えるためのボタンを設けなくてよい。それにより、遠隔操作装置２００の構成を簡素化することができ、製造コストを低減することができる。
【０１２４】
（ｄ）発光素子ＬＤの他の例
なお、本実施の形態では、発光素子ＬＤがＬ字矢印の形状を有するが、これに限定されず、発光素子ＬＤがその他の非線対称形状を有してもよい。
【０１２５】
例えば、図４に示すかぎ形状は、非線対称形状を有する。この場合、かぎ形状を任意の軸を中心として反転させた場合、反転前のかぎ形状と反転後のかぎ形状とは、回転および移動により重なり合うことがない。したがって、発光素子ＬＤが図４のかぎ形状を有してもよい。一方、例えばＴ字形状、Ｕ字形状、二等辺三角形、長方形等はある軸に関して線対称となる。例えば、Ｔ字形状を任意の軸を中心として反転させた場合、反転前のＴ字形状と反転後のＴ字形状とは、回転および移動により重なり合う。したがって、発光素子ＬＤの光出射面に線対称形状を用いることはできない。
【０１２６】
また、発光素子ＬＤが非線対称形状に形成される代わりに、発光素子ＬＤの光出射面上に非線対称形状のスリットを有する遮蔽シートを配置してもよい。
【０１２７】
（２）第２の実施の形態
以下、本発明の第２の実施の形態に係る送受信システムについて説明する。第２の実施の形態に係る送受信システムが第１の実施の形態に係る送受信システム１００と異なるのは以下の点である。
【０１２８】
図５および図６は、第２の実施の形態における遠隔操作装置２００と赤外線信号受光部３０７との関係を示した図である。なお、図５は、遠隔操作装置２００から出力された赤外線信号ＩＲＳが赤外線信号受光部３０７に直接到達する場合を示し、図６は、遠隔操作装置２００から出力された赤外線信号ＩＲＳが鏡５００で反射した後に赤外線信号受光部３０７に到達する場合を示している。
【０１２９】
図５および図６に示すように、遠隔操作装置２００には、３つの発光素子ＬＤ１〜ＬＤ３からなる発光素子群ＬＤＧが設けられている。赤外線信号ＩＲＳは、発光素子ＬＤ１から出力される赤外線信号Ｌ１、発光素子ＬＤ２から出力される赤外線信号Ｌ２、および発光素子ＬＤ３から出力される赤外線信号Ｌ３により形成されている。感光スクリーン３２には、赤外線信号Ｌ１の像ＩＭ１、赤外線信号Ｌ２の像ＩＭ２、および赤外線信号Ｌ３の像ＩＭ３が投影される。
【０１３０】
なお、発光素子ＬＤ１〜ＬＤ３は直線上に並ばないように配置される。以下、発光素子ＬＤ１〜ＬＤ３の少なくとも１つが直線上に並ばない配置を非直線状配置と呼ぶ。本実施の形態では、発光素子ＬＤ１〜ＬＤ３は直角二等辺三角形の頂点に配置される。
【０１３１】
発光素子群ＬＤＧから出力された赤外線信号ＩＲＳが赤外線信号受光部３０７に直接到達する場合、図２で説明した場合と同様に、赤外線信号ＩＲＳは、凸レンズ３１によって上下左右反転されて感光スクリーン３２に投影される。この場合、図５に示すように、赤外線信号Ｌ１〜Ｌ３は、発光素子ＬＤ１〜ＬＤ３相互の相対的な位置関係を維持した状態で像ＩＭ１〜ＩＭ３として感光スクリーン３２に投影される。
【０１３２】
一方、発光素子群ＬＤＧから出力された赤外線信号ＩＲＳが、鏡５００で反射した後に赤外線信号受光部３０７に到達する場合、図３で説明した場合と同様に、赤外線信号ＩＲＳは、鏡５００によって左右反転された後、凸レンズ３１によってさらに上下左右反転されて感光スクリーン３２に投影される。この場合、図６に示すように、感光スクリーン３２に投影される像ＩＭ１〜ＩＭ３相互の相対的な位置関係は、発光素子ＬＤ１〜ＬＤ３相互の相対的な位置関係と異なる。
【０１３３】
本実施の形態においては、上記の像ＩＭ１〜ＩＭ３の各々の位置関係に基づいて、赤外線信号ＩＲＳが赤外線信号受光部３０７に直接到達したか、あるいは鏡等で反射した後に到達したかを判定する。以下、図面を用いて詳細に説明する。
【０１３４】
図７は、図５における発光素子群ＬＤＧと像３３との関係を示し、図８は、図６における発光素子群ＬＤＧと像３３との関係を示している。なお、図７（ａ）および図８（ａ）は、発光素子群ＬＤＧを示し、図７（ｂ）および図８（ｂ）は、像３３を示している。
【０１３５】
また、図７および図８においては、発光素子ＬＤ１から発光素子ＬＤ２へのベクトルをベクトルＡ１とし、発光素子ＬＤ２から発光素子ＬＤ３へのベクトルをベクトルＢ１とし、像ＩＭ１から像ＩＭ２へのベクトルをベクトルＡ２とし、像ＩＭ２から像ＩＭ３へのベクトルをベクトルＢ２として示している。
【０１３６】
図７において、ベクトルＢ１の方向は、ベクトルＡ１の方向に対して９０度左へ向いている。同様に、ベクトルＢ２の方向は、ベクトルＡ１の方向に対して９０度左へ向いている。つまり、図７においては、ベクトルＡ１に対するベクトルＢ１の方向と、ベクトルＡ２に対するベクトルＢ２の方向とが等しい。
【０１３７】
一方、図８においては、ベクトルＢ２の方向は、ベクトルＡ１の方向に対して９０度右へ向いている。つまり、ベクトルＡ１に対するベクトルＢ１の方向と、ベクトルＡ２に対するベクトルＢ２の方向とが異なっている。
【０１３８】
ここで、信号解析部３０８内の記憶部には、ベクトルＡ１に対するベクトルＢ１の方向が予め記憶されている。上述したように、感光スクリーン３２（図５）はマトリクス状に配置された複数の感光素子により形成されている。本実施の形態においては、信号解析部３０８は、赤外線信号Ｌ１〜Ｌ３を受光した感光素子が出力する電気信号から像ＩＭ１〜ＩＭ３の座標を読み取り、ベクトルＡ２に対するベクトルＢ２の方向を算出する。そして、信号解析部３０８は、予め記憶部に記憶されている方向（ベクトルＡ１に対するベクトルＢ２の方向）と、算出した方向（ベクトルＡ２に対するベクトルＢ２の方向）とを比較する。
【０１３９】
ベクトルＡ２に対するベクトルＢ２の方向が、ベクトルＡ１に対するベクトルＢ１の方向と等しい場合、信号解析部３０８は、赤外線信号ＩＲＳが赤外線信号受光部３０７に直接到達したと判定し、正常信号を出力する。一方、ベクトルＡ２に対するベクトルＢ２の方向が、ベクトルＡ１に対するベクトルＢ１の方向と異なる場合、信号解析部３０８は、赤外線信号ＩＲＳが鏡等で反射した後に赤外線信号受光部３０７に到達したと判定し、反射信号を出力する。
【０１４０】
信号解析部３０８により正常信号が出力された場合、機能制御部３０９は、正常映像信号を出力する。それにより、映像出力部３０５は、通常の映像を表示パネルに表示する。一方、信号解析部３０８により反射信号が出力された場合、機能制御部３０９は、反転映像信号を出力する。それにより、映像出力部３０５は、通常の映像を左右反転させて表示パネルに表示する。
【０１４１】
このように、本実施の形態においては、像ＩＭ１〜ＩＭ３の相対的な位置関係を検出することにより、映像処理装置３００の表示パネルに通常の映像を表示するか、あるいは、反転させた映像を表示するかを決定している。
【０１４２】
なお、ベクトルＡ１，Ｂ１とベクトルＡ２，Ｂ２との比較は、例えば、以下のようにして行うことができる。
【０１４３】
まず、ベクトルＡ１の要素を（ａ１１，ａ１２）とし、ベクトルＢ１の要素を（ｂ１１，ｂ１２）とし、ベクトルＡ２の要素を（ａ２１，ａ２２）とし、ベクトルＢ２の要素を（ｂ２１，ｂ２２）とする。
【０１４４】
また、ベクトルＡ１とベクトルＢ１との関係を表す式を
Ｄ１＝ａ１１×ｂ１２−ｂ１１×ｂ１２      ・・・・（１）
とし、ベクトルＡ２とベクトルＢ２との関係を表す式を
Ｄ２＝ａ２１×ｂ２２−ｂ２１×ｂ２２      ・・・・（２）
とする。
【０１４５】
上記のように規定したとき、図７の例ではベクトルＡ１に対するベクトルＢ１の方向は左方向であるので、（１）式の値Ｄ１は正となる。また、ベクトルＡ２に対するベクトルＢ２の方向も左方向であるので、（２）式の値Ｄ２も正となる。
【０１４６】
一方、図８の例では、ベクトルＡ２に対するベクトルＢ２の方向は右方向であるので、（２）式の値Ｄ２は負となる。
【０１４７】
つまり、（１）式の値Ｄ１と（２）式の値Ｄ２とがともに正、またはともに負となる場合には、赤外線信号ＩＲＳが赤外線信号受光部３０７に直接到達したと判定し、（１）式の値Ｄ１と（２）式の値Ｄ２のうち一方が正となり、他方が負となる場合には、赤外線信号ＩＲＳが鏡等で反射した後に赤外線信号受光部３０７に到達したと判定することができる。
【０１４８】
なお、本実施の形態においては、発光素子ＬＤ１〜ＬＤ３から出力される３つの赤外線信号Ｌ１〜Ｌ３のうちいずれか一つが、遠隔操作装置２００の操作信号を赤外線信号受光部３０７に伝達する役割を担っている。この場合、３つの赤外線信号Ｌ１〜Ｌ３のうちいずれか一つのみをパルス位置変調すればよいので、赤外線信号出力部２０２の構成を簡略化できる。それにより、遠隔操作装置２００の製造コストを低減することができる。
【０１４９】
また、本実施の形態では、発光素子ＬＤ１〜ＬＤ３が直角二等辺三角形の頂点に配置されているが、これに限定されず、発光素子ＬＤ１〜ＬＤ３がその他の非直線状配置を有してもよい。
【０１５０】
例えば、発光素子ＬＤ１〜ＬＤ３が直角二等辺三角形以外の任意の三角形の頂点に配置されてもよい。
【０１５１】
また、発光素子の数は３に限定されず、４以上の任意の複数の発光素子を用いてもよい。この場合、複数の発光素子の一部が直線上に配置されてもよいが、少なくとも１つの発光素子はその直線上から外れた位置に配置される。
【０１５２】
（３）第３の実施の形態
以下、本発明の第３の実施の形態に係る送受信システムについて説明する。第３の実施の形態に係る送受信システムが第１の実施の形態に係る送受信システム１００と異なるのは以下の点である。
【０１５３】
図９および図１０は、第３の実施の形態における遠隔操作装置２００と赤外線信号受光部３０７との関係を示した図である。なお、図９は、遠隔操作装置２００から出力された赤外線信号ＩＲＳが赤外線信号受光部３０７に直接到達する場合を示し、図１０は、遠隔操作装置２００から出力された赤外線信号ＩＲＳが鏡５００で反射した後に赤外線信号受光部３０７に到達する場合を示している。
【０１５４】
図９および図１０に示すように、遠隔操作装置２００には、発光点ＬＤ４が非直線状に移動するように発光素子が設けられる。本実施の形態では、発光点ＬＤ４が所定の速度で円軌道を描くように移動するように発光素子が設けられている。
【０１５５】
例えば、環状に配置された複数の発光素子を順に時計回りに点灯させることにより発光点ＬＤ４を時計回りに移動させることができる。また、孔を有する円板状部材の背部に発光素子を配置し、円板状部材を回転させることにより発光点ＬＤ４を時計回りに移動させることができる。
【０１５６】
発光点ＬＤ４から出力された赤外線信号ＩＲＳが赤外線信号受光部３０７に直接到達する場合、図２で説明した場合と同様に、赤外線信号ＩＲＳは、凸レンズ３１によって上下左右反転されて感光スクリーン３２に投影される。この場合、感光スクリーン３２に投影される像ＩＭ４は、発光点ＬＤ４と同様に時計回りに円軌道を描くように移動する。
【０１５７】
一方、発光点ＬＤ４から出力された赤外線信号ＩＲＳが、鏡５００で反射した後に赤外線信号受光部３０７に到達する場合、図３で説明した場合と同様に、赤外線信号ＩＲＳは、鏡５００によって左右反転された後、凸レンズ３１によってさらに上下左右反転されて感光スクリーン３２に投影される。この場合、感光スクリーン３２に投影される像ＩＭ４は、反時計回りに円軌道を描くように移動する。
【０１５８】
本実施の形態においては、像ＩＭ４の移動方向（軌跡）が発光点ＬＤ４の移動方向（軌跡）と同じ場合は、赤外線信号ＩＲＳが赤外線信号受光部３０７に直接到達したと判定し、像ＩＭ４の移動方向が発光点ＬＤ４の移動方向と異なる場合は、赤外線信号ＩＲＳが鏡等で反射した後に到達したと判定する。以下、その判定方法について図面を用いて詳細に説明する。
【０１５９】
図１１は、像ＩＭ４の移動方向の判定方法を説明するための図である。
【０１６０】
本実施の形態においては、信号解析部３０８（図１）内の記憶部に、予め発光点ＬＤ４（図９）の円運動の周期が記憶されている。そして、信号解析部３０８は、上記記憶されている周期の１／３周期ごとに像ＩＭ４の座標を検出する。
【０１６１】
例えば、図１１（ａ）に示すように、時計回りに移動する像ＩＭ４が、位置Ｐ１、位置Ｑ１および位置Ｒ１において順に検出された場合、位置Ｑ１から位置Ｒ１へのベクトルＢの方向は、位置Ｐ１から位置Ｑ１へのベクトルＡに対して左方向になる。
【０１６２】
一方、図１１（ｂ）に示すように、反時計回り移動する像ＩＭ４が、位置Ｐ２、位置Ｑ２および位置Ｒ２において順に検出された場合、位置Ｑ１から位置Ｒ１へのベクトルＢの方向は、位置Ｐ１から位置Ｑ１へのベクトルＡに対して左方向になる。
【０１６３】
本実施の形態においては、信号解析部３０８（図１）は、上記の関係に基づいて、ベクトルＡに対するベクトルＢの方向を検出することにより、像ＩＭ４が時計回りに移動しているのか、あるいは、反時計回りに移動しているのかを判定する。そして、発光点ＬＤ４（図９）の移動方向（軌跡）と像ＩＭ４の移動方向（軌跡）とが等しい場合には、信号解析部３０８は、赤外線信号ＩＲＳが赤外線信号受光部３０７に直接到達したと判定し、正常信号を出力する。一方、発光点ＬＤ４の移動方向と像ＩＭ４の移動方向とが異なる場合には、信号解析部３０８は、赤外線信号ＩＲＳが反射した後に赤外線信号受光部３０７に到達したと判定し、反射信号を出力する。
【０１６４】
信号解析部３０８により正常信号が出力された場合、機能制御部３０９は、正常映像信号を出力する。それにより、映像出力部３０５は、通常の映像を表示パネルに表示する。一方、信号解析部３０８により反射信号が出力された場合、機能制御部３０９は、反転映像信号を出力する。それにより、映像出力部３０５は、通常の映像を左右反転させて表示パネルに表示する。
【０１６５】
このように、本実施の形態においては、像ＩＭ４の移動方向に基づいて映像処理装置３００の表示パネルに通常の映像を表示するか、あるいは、反転させた映像を表示するかを決定している。
【０１６６】
なお、ベクトルＡに対するベクトルＢの方向の検出は、図７および図８で説明した方法と同様の方法で行うことができる。
【０１６７】
また、上記においては、発光点ＬＤ４が時計回りに移動する場合について説明したが、発光点ＬＤ４は反時計回りに移動してもよい。
【０１６８】
また、発光点ＬＤ４の軌道は円軌道に限定されず、非直線状の軌道を描くように発光点ＬＤ４を移動させてもよい。
【０１６９】
また、１周期当たりに検出する像ＩＭ４の検出回数は３回に限定されず、任意の回数で像ＩＭ４の位置を検出してもよい。
【０１７０】
また、上記においては、ベクトルＡに対するベクトルＢの方向を検出することにより、発光点ＬＤ４の軌跡と像ＩＭ４の軌跡とを比較しているが、像ＩＭ４の検出回数を増加させ像ＩＭ４の軌跡をより正確に検出してもよい。そして、第１の実施の形態と同様に、像ＩＭ４の軌跡が、回転操作および移動操作により発光点ＬＤ４の軌跡と重なり合う場合には、赤外線信号ＩＲＳが赤外線信号受光部３０７に直接到達したと判定し、重なり合わない場合には、赤外線信号ＩＲＳが鏡５００で反射した後に赤外線信号受光部３０７に到達したと判定してもよい。
【０１７１】
なお、発光点ＬＤ４は、一周期の移動において、移動経路の一部または全部を重複して複数回移動しないように設定することが好ましい。この場合、元の移動経路の一部のベクトルと反転された移動経路の一部のベクトルとが一致しなくなるので、信号解析部３０８は、赤外線信号ＩＲＳが赤外線信号受光部３０７に直接到達したのか、あるいは、赤外線信号ＩＲＳが鏡等で反射した後に赤外線信号受光部３０７に到達したのかを、より正確に判断することができる。
【０１７２】
したがって、例えば、「Ｗ」を描くように発光点ＬＤ４を移動させる場合には、往復移動をさせずに一端から他端へとのみ移動させることが好ましい。一端から他端へと移動させた後、他端から一端へと往復移動させる場合、「Ｗ」の往路のベクトルと反転された「Ｗ」の復路のベクトルとが一致する可能性があるからである。
【０１７３】
（４）他の実施の形態
上記実施の形態においては、遠隔操作装置２００から赤外線信号を出力する場合について説明したが、遠隔操作装置２００から出力される光信号は赤外線信号に限定されず、映像処理装置３００に操作信号を送信することができるものであれば他の光信号を用いてもよい。例えば、レーザ光からなる光信号を用いることができる。
【０１７４】
また、上記実施の形態では、映像処理装置３００がデジタル放送を受信するテレビジョン受像機である場合を説明したが、これに限定されず、遠隔操作装置２００により操作される映像処理装置がアナログ放送を受信するテレビジョン受像機であってもよい。
【０１７５】
また、遠隔操作装置２００により操作される映像処理装置が映像信号を出力するＤＶＤ（デジタルバーサタイルディスク）再生装置、ＤＶＤ記録再生装置、ハードディスク記録再生装置、またはセットトップボックス等であってもよい。この場合、図１の映像出力部３０５および音声出力部３０６は、表示パネルおよびスピーカを有さず、映像信号を出力する映像出力端子および音声信号を出力する音声出力端子を有する。映像出力端子および音声出力端子は、テレビジョン受像機の映像入力端子および音声入力端子に接続される。あるいは、映像出力端子は、表示パネルの映像入力端子に接続される。映像出力部３０５は、信号解析部３０８から正常信号が出力された場合に表示パネルに通常の映像を表示するための映像信号を出力し、信号解析部３０８から反射信号が出力された場合に表示パネルに左右反転された映像を表示するための映像信号を出力する。
【０１７６】
また、上記実施の形態においては、映像を左右反転させて表示する場合について説明したが、映像を上下反転させて表示してもよい。
【０１７７】
（５）請求項の各構成要素と実施の形態の各部との対応
以下、請求項の各構成要素と実施の形態の各部との対応の例について説明するが、本発明は下記の例に限定されない。
【０１７８】
上記実施の形態においては、操作部２０１が操作信号生成手段に相当し、赤外線信号出力部２０２が光信号送信手段に相当し、発光素子ＬＤの光出射面が光信号を出射する光出射面に相当し、発光素子ＬＤ１〜ＬＤ３が光信号を出射する３つ以上の発光部に相当し、発光点ＬＤ４が非直線状の軌道で移動する発光部に相当し、赤外線信号受光部３０７が受光部に相当し、信号解析部３０８が判定手段に相当し、ＡＶデコーダ３０４、映像出力部３０５および機能制御部３０９が映像信号生成手段に相当し、感光スクリーン３２が受光面に相当する。
【産業上の利用可能性】
【０１７９】
本発明は、テレビジョン受像機、パーソナルコンピュータ、ＤＶＤレコーダ、プロジェクター等に有効に利用可能である。
【図面の簡単な説明】
【０１８０】
【図１】本発明の第１の実施の形態に係る送受信システムの構成を示すブロック図
【図２】遠隔操作装置と赤外線信号受光部との関係を示した図
【図３】遠隔操作装置と赤外線信号受光部との関係を示した図
【図４】発光素子の形状の他の例を示す図
【図５】第２の実施の形態における遠隔操作装置と赤外線信号受光部との関係を示した図
【図６】第２の実施の形態における遠隔操作装置と赤外線信号受光部との関係を示した図
【図７】図５における発光素子群と像との関係を示した図
【図８】図６における発光素子群と像との関係を示した図
【図９】第３の実施の形態における遠隔操作装置と赤外線信号受光部との関係を示した図
【図１０】第３の実施の形態における遠隔操作装置と赤外線信号受光部との関係を示した図
【図１１】像の移動方向の判定方法を説明するための図
【符号の説明】
【０１８１】
１００  送受信システム
２００  遠隔操作装置
２０１  操作部
２０２  赤外線信号出力部
３００  テレビジョン受信機
３０５  映像出力部
３０７  赤外線信号受光部
３０８  信号解析部
３０９  機能制御部
４００  アンテナ
ＩＲＳ，Ｌ１〜Ｌ３  赤外線信号
ＬＤ，ＬＤ１〜ＬＤ４  発光素子
ＩＭ１〜ＩＭ４  像
【図１】
2007281599.tif 000003
【図２】
2007281599.tif 000004
【図３】
2007281599.tif 000005
【図４】
2007281599.tif 000006
【図５】
2007281599.tif 000007
【図６】
2007281599.tif 000008
【図７】
2007281599.tif 000009
【図８】
2007281599.tif 000010
【図９】
2007281599.tif 000011
【図１０】
2007281599.tif 000012
【図１１】
2007281599.tif 000013